(57)【要約】【課題】予めゴルフクラブに設定されたバランス値に対して、ヘッドの質量の過不足量を自動的に算出し、表示することで、正確に前記ヘッドの質量の過不足量を調整することができるゴルフクラブ用のバランス計装置の提供する。【解決手段】ゴルフクラブ用のバランス計装置１０は、ゴルフクラブ１のヘッド３側の荷重値を検出するヘッド側荷重検出部２０と、該ヘッド側荷重検出部２０により検出された荷重値を読み込んで、ヘッド側測定モーメント値とグリップ側設定モーメント値とを比較し、その差からヘッド質量の過不足量を算出して、表示する過不足量算出表示部３０からなる構成である。【選択図】        図１
2004275549.tif 000002
【特許請求の範囲】
【請求項１】
ゴルフクラブのスイングバランスを測定するゴルフクラブ用バランス計装置であって、上面の一端にはゴルフシャフトを支持する受け部を、他端にはグリップエンドを係止する掛止部を有し、前記掛止部から距離Ｄの位置を支点と設定し、該支点からヘッド側への距離Ｅの位置を荷重作用点と設定し、前記荷重作用点の下部に荷重検出部を配設したヘッド側荷重検出部と、該ヘッド側荷重検出部により検出された荷重値を読み込んで、ヘッド側のヘッド側測定モーメント値を算出し、該ヘッド側測定モーメント値と予め前記ゴルフクラブに設定されているグリップ側設定モーメント値を比較し、その差からヘッド質量の過不足量を算出して、表示する過不足量算出表示部を備えることを特徴とするゴルフクラブ用のバランス計装置。
【発明の詳細な説明】
【０００１】
【発明の属する技術分野】
本発明は、ゴルフクラブのスイングバランスを測定するゴルフクラブ用のバランス計装置に係るものである。
【０００２】
【従来の技術】
ゴルフクラブのスイングバランスは、簡単に言えば、スイングしたときに感じるヘッドの重さのことである。ゴルフクラブの総重量が同じでも、振ったときに、軽く感じたり、重く感じたりするのは、スイングバランスが異なるためである。すなわち、ゴルフクラブの重心位置がゴルフクラブのヘッド側にあれば重く感じ、ゴルフクラブのグリップ側にあれば軽く感じる。
【０００３】
通常、ゴルフクラブのスイングバランスは、ゴルフクラブのヘッド側とグリップ側の重量の比率を「アルファベット＋数字」でバランス値として示すようにしてある。
【０００４】
前記ゴルフクラブのスイングバランスを測定するには、ゴルフクラブのグリップエンドから一定の距離を受支点とし、ゴルフクラブが水平となるようグリップエンドに加えられる重量を測定することにより、ゴルフクラブのスイングバランスを測定し、この測定結果に応じてゴルフクラブに細かくバランス称呼を付する、ゴルフクラブ用のスイングバランス計は、従来より知られている。
【０００５】
例えば、実開平２−３５０３７号公報に開示されているように、ゴルフクラブのヘッドの重量感の指標を表示して、使用者にゴルフクラブ選択の目安をあたえるために、荷重値とその荷重値に相当するバランス値を表示する目盛読取式のメーター本体を配設したゴルフクラブのバランス計が開示されている。
【０００６】
【特許文献１】
実開平２−３５０３７号公報
【０００７】
【発明が解決しようとする課題】
しかし、前記実開平２−３５０３７号公報に開示されたバランス計でゴルフクラブのバランス調整を行う場合、目盛読取式のメーターによって、バランス値が表示され、これを作業員が目視にて判断をしているため、作業員によって目視の判断が異なる。
従って、ゴルフクラブに設定されたバランス値に対して、ヘッドの質量の過不足量を正確に調整することが困難である。
【０００８】
そこで、本発明の目的は、前記問題点を解決し、予めゴルフクラブに設定されたバランス値に対して、ヘッドの質量の過不足量を自動的に算出し、表示することで、正確に前記ヘッドの質量の過不足量を調整することができるゴルフクラブ用のバランス計装置の提供することを目的としている。
【０００９】
【課題を解決するための手段】
上記目的を達成する為に、本発明の請求項１に係るゴルフクラブヘ用のバランス計装置は、ゴルフクラブのスイングバランスを測定するゴルフクラブ用バランス計装置であって、上面の一端にはゴルフシャフトを支持する受け部を、他端にはグリップエンドを係止する掛止部を有し、前記掛止部から距離Ｄの位置を支点と設定し、該支点からヘッド側への距離Ｅの位置を荷重作用点と設定し、前記荷重作用点の下部に荷重検出部を配設したヘッド側荷重検出部と、該ヘッド側荷重検出部により検出された荷重値を読み込んで、ヘッド側のヘッド側測定モーメント値を算出し、該ヘッド側測定モーメント値と予め前記ゴルフクラブに設定されているグリップ側設定モーメント値を比較し、その差からヘッド質量の過不足量を算出して、表示する過不足量算出表示部を備えることを特徴とするゴルフクラブ用のバランス計装置である。
【００１０】
【発明の実施の形態】
以下、本発明の一実施形態を図面に基づき詳細に説明する。
図１は本発明によるゴルフクラブ用のバランス計装置１０の概略を模式的に示した説明図であり、図２は、ヘッド側荷重検出部２０の各距離を示す説明図、図３は、バランス計装置の動作を説明するフロー図である。また、図４、図５は、パソコン３１の画面を示す説明図である。
【００１１】
図１に示すように、本発明のゴルフクラブ用のバランス計装置１０は、ゴルフクラブ１のヘッド３側の荷重値を検出するヘッド側荷重検出部２０と、該ヘッド側荷重検出部２０により検出された荷重値を読み込んで、ヘッド側測定モーメント値とグリップ側設定モーメント値とを比較し、その差からヘッド質量の過不足量を算出して、表示する過不足量算出表示部３０からなる構成である。
【００１２】
前記ヘッド側荷重検出部２０は、ヘッド３を仮止めしたゴルフクラブ１を前記ヘッド側荷重検出部２０の天秤部２１にセットをすると、ヘッド３側が重いので荷重検出部２９に荷重がかかり、荷重作用点２４にかかるヘッド３側の荷重値を検出するものである。
また、過不足量算出表示部３０は、パソコン３１により前記ヘッド側荷重検出部２０により検出された荷重値を読み込んで、後途する規定の算出方法により、算出されたヘッド側測定モーメント値と予め前記ゴルフクラブに設定されているグリップ側設定モーメント値とを比較し、その差からヘッド質量の過不足量を算出し、表示するものである。
【００１３】
前記ヘッド側荷重検出部２０について説明する。
図１、図２に示すように、前記ヘッド側荷重検出部２０の天秤部２１は、断面が長方形をした棒状に形成され、秤竿２２の上面２２ａの一端にグリップエンド４の位置決めをなす掛止部２８が形成されている。そして、前記掛止部２８から距離Ｄの位置を支点２３とし、該支点２３には、支点軸２３ａが設られている。
また、前記支点２３からのヘッド３側へ距離Ｅの位置を荷重作用点２４とし、上面部２２ａにゴルフクラブ１のヘッド３側のシャフト２を載置する受部２５を設けると共に、下面２２ｂに荷重作用針２６を突設し、該荷重作用針２６の下部の位置には、荷重検出部２９が配置されている。
【００１４】
また、基盤２７には、一対の支柱２７ａを立設し、該支柱２７ａに軸受孔を設け、支店軸２３ａを嵌入させて秤竿２２を回転自在に支えている。
【００１５】
荷重検出部２９は、ゴルフクラブ１をセットするとヘッド３側が重いので、荷重検出部２９に荷重がかかり、支点２３から荷重作用点２４の距離において、該荷重作用点２４にかかる荷重値を検出するものである。
また、前記荷重検出部２９としては、電子秤が好適に使用される。
【００１６】
次に、過不足量算出表示部３０を説明する。
前記過不足量算出表示部３０は、パソコン３１を利用することで構成され、掛止部２８から支点２１までの距離Ｄ（１４インチ）×当該ゴルフクラブに設定されるバランス値とする為の値（ｇ）（例、Ｃ０、１４オンス、３９６．９ｇ）で算出されるグリップ側設定モーメント値と、支点２１から荷重作用点２４までの距離Ｅ（１４インチ）×荷重作用点２４にかかる荷重、すなわち、荷重検出部２９の荷重値で算出されるヘッド側測定モーメント値を比較し、その差から、予めゴルフクラブに設定されるバランス値とするためのヘッド質量の過不足量を自動的に算出して、パソコン３１の画面上で前記過不足量を数値化して表示するものである。
【００１７】
作業者は、前記表示されている過不足量に従い、不足していれば調整錘をシャフト先端部に挿入し、多い場合はヘッドの重量を落とす等調整する。そして、調整後、もう一度、ゴルフクラブを天秤部２１にセットし、設定通りのバランス値であったがどうをパソコン３１の画面上で判定することができる。
従って、前記調整されたゴルフクラブは、正確に予めゴルフクラブに設定されるバランス値と一致することができる。
【００１８】
図２に示すように、掛止部２８から支点２１までの距離をＤ（インチ）、支点２１から荷重作用点２４までの距離をＥ（インチ）、ゴルフクラブ長さをＣ（インチ）と定め、荷重検出部２９に検出された荷重値をＲ（ｇ）、当該ゴルフクラブに設定されるバランス値とするための値をＡ（ｇ）とした。
そして，ヘッド質量の過不足量Ｗ（ｇ）を求める次式により算出することができる。
【００１９】
【数１】
Ｗ＝（Ｄ・Ａ）−（Ｅ・Ｒ）／Ｃ−Ｄ
【００２０】
従って、過不足量算出表示部３０は、掛止部２８から支点２１までの距離（１４インチ）×予めゴルフクラブに設定されるバランス値とするための値（ｇ）で算出されるグリップ側設定モーメント値と、支点２１から荷重作用点２４までの距離（１４インチ）×荷重検出部２９の荷重値で算出されるヘッド側測定モーメント値を比較し、その差とゴルフクラブ長さＣおよび掛止部２８から支点２１までの距離Ｄからヘッド質量の過不足量を算出することができる。
【００２１】
なお、本実施の形態では、前記掛止部２８から支点２３までの距離Ｄおよび、支点２３から荷重作用点２４の距離Ｅは、１４インチ方式基準距離の１４インチで説明したが、１２インチ方式基準距離の１２インチとすることも可能である。
また、支点２１から荷重作用点２４までの距離Ｅの距離を１４インチまたは、１２インチに限定されることはない。
例えば、支点２１から荷重作用点２４までの距離Ｅの距離を７インチとした場合、掛止部２８から支点２１までの距離Ｄを１４インチとした場合の１／２となるので、荷重検出部２９の荷重値を２倍として、ヘッド側測定モーメント値を算出することができる。
【００２２】
次に、本発明のゴルフクラブ用のバランス計装置１０は、図３に示すフローによって行われる。
図４、図５は、パソコン３１の画面を示す説明図である。
【００２３】
まず、図４に示すように、パソコンの画面４０のデータ設定画面４７に測定するゴルフクラブの長さと設定バランスを入力し、入力が完了したら、データ確認を行い、決定釦４１をクリックする（Ｓ−１）。また、ゴルフクラブの長さは、品番入力４２にて品番を入力することにより、自動的に長さ、設定バランスが入力されることもできる。
決定後、測定タブ４３をクリックして、図５に示すパソコンの画面４０ａに切り替え、測定釦４４をクリックして、測定準備完了状態となる（Ｓ−２）。
【００２４】
次に、測定するヘッド３を仮止めしたゴルフクラブ１を天秤部２１にセットする（Ｓ−３）。
ゴルフクラブ１をセットするとヘッド側が重いので荷重検出部２９に荷重がかかるため、荷重検出部２９は、電子秤の値が安定したことを知らせる安定信号を出す（Ｓ−４）。
前記荷重検出部２９の安定信号を確認し、該荷重検出部２９の荷重値をパソコン３１が読み込む（Ｓ−５）。
前記パソコン３１が自動で前記数１に示す式に掛止部２８から支点２１までの距離Ｄ、支点２１から荷重作用点２４までの距離Ｅ、ゴルフクラブ長さＣ、荷重値Ｒ、設定バランス値とするための値Ａを代入する。（Ｓ−６）。
そして、予めゴルフクラブに設定されるバランス値とするためのヘッド質量の過不足量Ｗ（ｇ）を算出し、（Ｓ−７）画面上の測定結果４５に表示する（Ｓ−８）。
【００２５】
作業者は、測定結果画面４５に表示している指示に従い、不足していれば調整錘をシャフト先端部に挿入し、多い場合はヘッドの重量を落とす等調整する（Ｓ−９）。
調整後、もう一度、ゴルフクラブを天秤部２１にセットし、設定通りのバランス値であったかどうか判定画面４６で判定する（Ｓ−１０）。設定バランス範囲内であれば作業完了である。設定通りのバランス値でなかった場合は、Ｓ−９で再度、調整を行う。
【００２６】
【発明の効果】
本発明のゴルフクラブ用のバランス計装置は、予めゴルフクラブに設定されたバランス値に対して、ヘッド質量の過不足量を自動的に算出し、数値化して表示することで、正確に前記ヘッド質量の過不足量を調整することができる。
【図面の簡単な説明】
【図１】ゴルフクラブ用バランス計装置の概略を模式的に示した説明図。
【図２】ヘッド側荷重検出部の各距離を示す説明図。
【図３】バランス計装置の動作を説明するフロー図。
【図４】パソコンの画面を示す説明図。
【図５】パソコンの画面を示す説明図。
【符号の説明】
１  ゴルフクラブ
２  ヘッド
３  シャフト
４  グリップエンド
１０  バランス計装置
２０  ヘッド側荷重検出部
２１  天秤部
２２  秤竿
２２ａ  上面
２２ｂ  下面
２３  支点
２３ａ  支点軸
２４  荷重作用点
２５  受部
２６  荷重作用針
２７  基盤
２７ａ  支柱
２８  掛止部
２９  荷重検出部
３０  過不足量算出表示部
３１  パソコン
４０  パソコン画面
４０ａ  パソコン画面
４１  決定釦
４２  品番入力
４３  測定タブ
４４  測定釦
４５  測定結果画面
４６  判定画面
４７  データ設定画面
【図１】
2004275549.tif 000003
【図２】
2004275549.tif 000004
【図３】
2004275549.tif 000005
【図４】
2004275549.tif 000006
【図５】
2004275549.tif 000007